(57)【要約】      （修正有）【課題】組み立ての利便性を向上させ、所定の重量を獲得できるとともに、安全性の優れたダンベルを提供する。【解決手段】ダンベル１００は、第一把持部１０と第一把持部の両端に取り付けられる重量モジュールを含み、重量モジュールと第一把持部はネジ結合手段により結合される。ダンベルの重量部はネジ結合構造により第一把持部に結合される。これにより、重量が異なる重量部を自由に組み立てることにより重量を調節し、組み立ての利便性を向上させ、所定の重量を獲得することができる。さらに、ネジ結合構造は、結合の安定性がよく、重量部が容易に緩むか或いは揺れ動くことがなく、安全性に優れる。【選択図】図１
0003234664.tif 000002
【実用新案登録請求の範囲】
【請求項１】
第一把持部と前記第一把持部の両端に取り付けられる重量モジュールを含むダンベルであって、前記重量モジュールと前記第一把持部はネジ結合手段により結合されることを特徴とするダンベル。
【請求項２】
前記第一把持部の両端には外部ネジが形成され、前記重量モジュールは第一重量部を含み、前記第一重量部の一端にはネジ孔が形成され、前記ネジ孔は前記外部ネジにネジ結合されることを特徴とする請求項１に記載のダンベル。
【請求項３】
前記第一重量部の他端にもネジ孔が形成され、前記重量モジュールは第二重量部を更に含み、前記第二重量部の一端にはネジ円柱体が形成され、前記ネジ円柱体は前記ネジ孔にネジ結合されることを特徴とする請求項２に記載のダンベル。
【請求項４】
前記重量モジュールは第三重量部を更に含み、前記第三重量部の一端にはネジ円柱体が形成され、前記第二重量部の他端には前記ネジ孔が形成され、前記ネジ円柱体は前記ネジ孔にネジ結合されることを特徴とする請求項３に記載のダンベル。
【請求項５】
前記第一把持部の両端にはネジ孔がそれぞれ形成され、前記重量モジュールは第二重量部を含み、前記第二重量部の一端にはネジ円柱体が形成され、前記ネジ円柱体は前記ネジ孔にネジ結合されることを特徴とする請求項１に記載のダンベル。
【請求項６】
前記重量モジュールは第三重量部を更に含み、前記第三重量部の一端には前記ネジ円柱体が形成され、前記第二重量部の他端には前記ネジ孔が形成され、前記ネジ円柱体は前記ネジ孔にネジ結合されることを特徴とする請求項５に記載のダンベル。
【請求項７】
前記ダンベルは第一ワッシャーを更に含み、前記第一ワッシャーは隣接している第一重量部と第二重量部との間および第二重量部と第三重量部との間に取り付けられるか或いは第一重量部、第二重量部および第三重量部上に取り付けられることを特徴とする請求項３、４、６のいずれか一項に記載のダンベル。
【請求項８】
前記第一重量部、前記第二重量部および前記第三重量部の端面には面取りがそれぞれ形成され、隣接している前記第一重量部、前記第二重量部および前記第三重量部の面取りにより環状凹部が形成され、前記第一ワッシャーは前記環状凹部内に収納されることを特徴とする請求項７に記載のダンベル。
【請求項９】
前記ダンベルは第二ワッシャーを更に含み、前記第二ワッシャーは前記ネジ円柱体上に取り付けられることを特徴とする請求項３〜６のいずれか一項に記載のダンベル。
【請求項１０】
前記第二ワッシャーの側面は第二重量部または第三重量部の側面から突出していることを特徴とする請求項９に記載のダンベル。
【請求項１１】
前記第三重量部の他端は平面であることを特徴とする請求項４または６に記載のダンベル。
【請求項１２】
第一重量部、第二重量部および第三重量部は円形であるか或いは多辺形であることを特徴とする請求項２〜１１のいずれか一項に記載のダンベル。
【請求項１３】
前記第一把持部の表面には滑走防止凹部が形成されていることを特徴とする請求項１に記載のダンベル。
【請求項１４】
第二把持部と前記請求項１〜１０のうちいずれか一項に記載のダンベルを含み、前記第二把持部の長さは前記第一把持部の長さより長く、前記第二把持部の両端は２個の前記ダンベルにそれぞれネジ結合されることを特徴とするトレーニング用器具。
【請求項１５】
前記第二把持部は一体に成型されるか或いは着脱可能な構造で構成されることを特徴とする請求項１４に記載のトレーニング用器具。
【考案の詳細な説明】
【技術分野】
【０００１】
本考案は、トレーニング用器具の技術分野に属し、特に、ダンベルおよびトレーニング用器具に関するものである。
【背景技術】
【０００２】
体の健康を確保するため、人々はいろいろなトレーニング用器具によりトレーニングをし、ダンベルは使用者が常用しているトレーニング用器具の一種である。ダンベルは第一把持部と重量部を含み、重量部の数量は複数個であり、重量部の重量は一致するか或いは異なることができる。使用者がトレーニングをするとき、重量が異なっている重量部を第一把持部に結合させることにより所定の重量を有しているダンベルを獲得し、それによりトレーニングをすることができる。
【０００３】
しかしながら、従来のダンベルの重量部を入れ替える過程が複雑である。まず、後部の固定用部品を取り外した後、重量部を取り出す。つぎに、所定の重量を有している重量部を組み立てた後、固定用部品を結合させる。従来のダンベルの組立てが複雑であるので、使用者がダンベルを容易に組み立てることができない。
【考案の概要】
【考案が解決しようとする課題】
【０００４】
従来のダンベルの組立てが複雑であるという課題を解決するため、本考案は次のようなダンベルを提供する。
【課題を解決するための手段】
【０００５】
前記目的を実現するため、本考案は次のようなダンベルを提供する。そのダンベルは第一把持部と前記第一把持部の両端に取り付けられる重量モジュールを含み、前記重量モジュールと前記第一把持部はネジ結合手段により結合される。
【０００６】
好ましくは、前記第一把持部の両端には外部ネジが形成され、前記重量モジュールは第一重量部を含み、前記第一重量部の一端にはネジ孔が形成され、前記ネジ孔は前記外部ネジにネジ結合される。
【０００７】
好ましくは、前記第一重量部の他端にもネジ孔が形成され、前記重量モジュールは第二重量部を更に含み、前記第二重量部の一端にはネジ円柱体が形成され、前記ネジ円柱体は前記ネジ孔にネジ結合される。
【０００８】
好ましくは、前記重量モジュールは第三重量部を更に含み、前記第三重量部の一端にはネジ円柱体が形成され、前記第二重量部の他端には前記ネジ孔が形成され、前記ネジ円柱体は前記ネジ孔にネジ結合される。
【０００９】
好ましくは、前記第一把持部の両端にはネジ孔がそれぞれ形成され、前記重量モジュールは第二重量部を含み、前記第二重量部の一端にはネジ円柱体が形成され、前記ネジ円柱体は前記ネジ孔にネジ結合される。
【００１０】
好ましくは、前記重量モジュールは第三重量部を更に含み、前記第三重量部の一端には前記ネジ円柱体が形成され、前記第二重量部の他端には前記ネジ孔が形成され、前記ネジ円柱体は前記ネジ孔にネジ結合される。
【００１１】
好ましくは、前記ダンベルは第一ワッシャーを更に含み、前記第一ワッシャーは隣接している前記第一重量部と前記第二重量部との間および前記第二重量部と前記第三重量部との間に取り付けられるか或いは前記第一重量部、前記第二重量部および前記第三重量部上に取り付けられる。
【００１２】
好ましくは、前記第一重量部、前記第二重量部および前記第三重量部の端面には面取りがそれぞれ形成され、隣接している前記第一重量部、前記第二重量部および前記第三重量部の面取りにより環状凹部が形成され、前記第一ワッシャーは前記環状凹部内に収納される。
【００１３】
好ましくは、前記ダンベルは第二ワッシャーを更に含み、前記第二ワッシャーは前記ネジ円柱体上に取り付けられる。
【００１４】
好ましくは、前記第二ワッシャーの側面は前記第二重量部または前記第三重量部の側面から突出している。
【００１５】
好ましくは、前記第三重量部の他端は平面である。
【００１６】
好ましくは、前記第一重量部、前記第二重量部および前記第三重量部は円形であるか或いは多辺形である。
【００１７】
好ましくは、前記第一把持部の表面には滑走防止凹部が形成されている。
【００１８】
本考案はトレーニング用器具を更に提供する。そのトレーニング用器具は第二把持部と前記いずれか１つのダンベルを含み、前記第二把持部の長さは前記第一把持部の長さより長く、前記第二把持部の両端は２個の前記ダンベルにそれぞれネジ結合される。
【００１９】
好ましくは、前記第二把持部は一体に成型されるか或いは着脱可能な構造で構成される。
【考案の効果】
【００２０】
本考案により次のような考案の効果を獲得することができる。前記ダンベルの重量部はネジ結合構造により第一把持部に結合される。ネジ結合構造は、結合の安定性がよく、重量部が容易に緩むか或いは揺れ動くことができず、使用上の安全性がよいという利点を有している。重量が異なっている重量部を勝手に組み立てることにより重量を調節し、組み立ての利便性を向上させ、所定の重量を獲得することができる。重量が異なっている重量部を勝手に組み立てることにより重量が異なっているいろいろなダンベルを獲得することができる。
【図面の簡単な説明】
【００２１】
【図１】本考案の第一実施例に係るダンベルの構造を示す斜視図である。
【図２】図１のダンベルの構造を示す分解図である。
【図３】本考案の第二実施例に係るダンベルの構造を示す斜視図である。
【図４】図３のダンベルの構造を示す分解図である。
【図５】本考案の第三実施例に係るダンベルの構造を示す斜視図である。
【図６】図５のダンベルの構造を示す分解図である。
【図７】本考案の第四実施例に係るダンベルの構造を示す分解図である。
【図８】本考案の第五実施例に係るダンベルの構造を示す分解図である。
【図９】本考案の第一実施例に係るトレーニング用器具の構造を示す斜視図である。
【図１０】本考案の第二実施例に係るトレーニング用器具の構造を示す斜視図である。
【図１１】本考案の第三実施例に係るトレーニング用器具の構造を示す斜視図である。
【考案を実施するための形態】
【００２２】
以下、図１〜図８により本考案をより詳細に説明する。
【００２３】
図１と図２を一緒に参照すると、本考案の第一実施例に係るダンベル１００は第一把持部１０と第一把持部１０の両端に取り付けられる重量モジュールを含み、重量モジュールは、第一重量部２０、第二重量部３０および第三重量部４０のうち１個または複数個を含むことができる。重量モジュールが第一重量部２０、第二重量部３０および第三重量部４０のうち１個または複数個を含む場合、第一重量部２０と第一把持部１０はネジ結合手段により結合され、隣接している第一重量部２０と第二重量部３０、隣接している第二重量部３０と第三重量部４０はいずれもネジ結合手段により結合されることができる。ダンベル１００の第一重量部２０はネジ結合手段により第一把持部１０に結合され、ネジ結合手段は結合の安定性がよいという利点を有しているので、第一重量部２０の結合が緩むことにより第一重量部２０が揺れ動くことを防止し、安全性を向上させ、第一重量部２０を第一把持部１０に容易に結合させることができる。第一重量部２０と第二重量部３０および第二重量部３０と第三重量部４０もネジ結合手段により結合されるので、第一把持部１０と第一重量部２０、第二重量部３０および第三重量部４０とを一体に結合させ、ダンベル１００の安定性を増加させることができる。第一重量部２０、第二重量部３０および第三重量部４０のネジのサイズが一致するので、各重量部を勝手に結合させることにより重量が異なっているいろいろなダンベルを構成することができる。
【００２４】
具体的に、図１と図２に示すとおり、ダンベル１００は、第一把持部１０と、第一把持部１０の両端に対称に取り付けられる第一重量部２０、第二重量部３０および第三重量部４０とを含む。第一把持部１０は円柱形に形成され、その両端には外部ネジ１１が形成されている。第一把持部１０の中間の表面には複数個の滑走防止凹部１２が形成されているので、使用者が第一把持部１０を把持するとき使用者が手がスライドすることを防止することができる。
【００２５】
第一重量部２０にはネジ孔２１が形成されている。本実施例において、前記ネジ孔２１は貫通孔である。他の実施例において、ネジ孔２１は第一重量部２０の両端にそれぞれ形成される非貫通孔であることもできる。ネジ孔２１が外部ネジ１１に結合されることにより第一重量部２０は第一把持部１０に着脱可能に結合される。
【００２６】
第二重量部３０は第二重量部３０の一端に形成されているネジ円柱体３１と第二重量部３０の他端に形成されているネジ孔３２とを含む。第二重量部３０のネジ円柱体３１が第一重量部２０のネジ孔２１に結合されることにより第二重量部３０は第一重量部２０に結合される。
【００２７】
第三重量部４０の一端にはネジ円柱体４１が形成され、第三重量部４０の他端は平面４２である。第三重量部４０の円柱体４１が第二重量部３０のネジ孔３２が結合されることにより第三重量部４０と第二重量部３０は一体に結合されることができる。以上のとおり、第一重量部２０は第一把持部１０に結合され、第二重量部３０は第一重量部２０と第三重量部４０に結合される。
【００２８】
各重量部を勝手に組み立てるため、第一重量部２０、第二重量部３０および第三重量部４０のネジのサイズを同一にすることができる。具体的に、ネジ孔２１の内径とネジ孔３２の内径を同一にし、ネジ円柱体３１の外径とネジ円柱体４１の外径を同一にし、ネジ孔２１およびネジ孔３２の内径とネジ円柱体３１およびネジ円柱体４１の外径を同一にすることができる。同様に、第一把持部１０の外部ネジ１１の外径とネジ孔２１およびネジ孔３２の内径を同一にし、外部ネジ１１をネジ孔２１に結合させることにより第一重量部２０と第一把持部１０を着脱可能に結合させることができる。
【００２９】
本実施例において、第一重量部２０、第二重量部３０および第三重量部４０はいずれも円形に形成されているが、他の実施例において、第一重量部２０、第二重量部３０および第三重量部４０の形状は六角形等のような多辺形に形成されることができる。それにより各重量部を容易に組み立てることができる。
【００３０】
他の実施例において、第一重量部２０と第三重量部４０との間に少なくとも２個の第二重量部３０を取り付けることができる。その場合、隣接している第一重量部２０と第二重量部３０はネジ孔２１とネジ円柱体３１の結合により結合され、隣接している２個の第二重量部３０はネジ円柱体３１とネジ孔３２の結合により結合され、隣接している第二重量部３０と第三重量部４０はネジ孔３２とネジ円柱体４１の結合により結合されることができる。
【００３１】
他の実施例において、第三重量部４０を第一重量部２０に直接に結合させることができる。その場合、第一重量部２０は第一把持部１０に結合され、第一重量部２０と第三重量部４０との間に第二重量部３０を結合させる必要がない。他の実施例において、１個の第二重量部３０のみを第一把持部１０に結合させることもできる。その場合、第二重量部３０のネジ孔３２を第一把持部１０の外部ネジ１１に結合させることにより第二重量部３０を第一把持部１０に結合させることができる。第一重量部２０、第二重量部３０および第三重量部４０と第一把持部１０を勝手に組み立てることができるので、重量が異なっているいろいろなダンベルを構成することができる。すなわち所定の重量部と第一把持部を勝手に組み立てることにより使用者のいろいろな需要を満たすことができる。
【００３２】
図３は本考案の第二実施例に係るダンベル２００の構造を示す斜視図であり、図４は図３のダンベル２００の構造を示す分解図である。第二実施例と第一実施例の相違点は、第二実施例のダンベル２００が第一ワッシャー６０を含み、第一ワッシャー６０は隣接している第一重量部２０と第二重量部３０との間および第二重量部３０と第三重量部４０との間に取り付けられることにある。
【００３３】
図１、図３および図４を一緒に参照すると、第一重量部２０と第二重量部３０の両側の端面の辺縁部には面取りが形成され、第二重量部３０の一側の端面の辺縁部にも面取りが形成されている。第一重量部２０、第二重量部３０および第三重量部４０を一体に結合させるとき、第一重量部２０の面取りと第二重量部３０の面取りにより環状凹部５０が形成され、第二重量部３０の面取りと第三重量部４０の面取りによっても環状凹部５０が形成される。第一ワッシャー６０が環状凹部５０内に収納されるとき、第一ワッシャー６０は第一重量部２０、第二重量部３０および第三重量部４０の表面から突出する。第一重量部２０と第二重量部３０との間および第二重量部３０と第三重量部４０との間には第一ワッシャー６０がそれぞれ取り付けられている。第一ワッシャー６０は第一重量部２０、第二重量部３０および第三重量部４０の表面から突出していることにより第一重量部２０、第二重量部３０および第三重量部４０の表面と地面が直接に接触することを防止し、第一重量部２０、第二重量部３０および第三重量部４０が摩損することと地面が摩損することを防止することができる。その構造は、構造が簡単であり、実用性がよいという利点を有している。
【００３４】
他の実施例において、第一ワッシャー６０を第一重量部２０、第二重量部３０および第三重量部４０の表面上に取り付けることもできる。その場合、第一ワッシャー６０は第一重量部２０、第二重量部３０および第三重量部４０より先に地面と接触し、第一重量部２０、第二重量部３０および第三重量部４０の表面と地面が直接に接触することを防止することができる。第一ワッシャー６０の摩擦力を増加させるため、第一ワッシャー６０の外表面に滑り防止構造、例えば斑紋、いぼ（knurl）、凸凹構造等を形成することができる。
【００３５】
ダンベル２００は第二ワッシャー７０を更に含み、第二ワッシャー７０はネジ円柱体３１またはネジ円柱体４１上に取り付けられ、第二ワッシャー７０の側面は第二重量部３０および第三重量部４０の側面から突出している。第一重量部２０と第二重量部３０、第二重量部３０と第三重量部４０がネジ結合構造により一体に結合されるとき、第二ワッシャー７０は第一重量部２０と第二重量部３０との間および第二重量部３０と第三重量部４０との間に取り付けられる。したがって、ネジ結合構造により第一重量部２０と第二重量部３０、第二重量部３０と第三重量部４０を結合させるとき、ネジ結合構造を回転させる力が大きすぎることにより第一重量部２０と第二重量部３０、第二重量部３０と第三重量部４０がジャミング状態になることを防止することができる。
【００３６】
図５は本考案の第三実施例に係るダンベル３００の構造を示す斜視図であり、図６は図５のダンベル３００の構造を示す分解図である。第三実施例のダンベル３００は第一把持部１０’と第一把持部１０’の両端に取り付けられる重量モジュールを含み、重量モジュールは第二重量部３０と第三重量部４０を含む。
【００３７】
図５と図６を一緒に参照すると、第三実施例の第一把持部１０’の両端にはネジ孔１２’が形成されている。ネジ孔１２’は第一把持部１０’の両端が窪むことにより形成されるものである。ネジ孔１２’は雌ネジが形成されている凹型孔である。
【００３８】
具体的に、第一把持部１０’には２個の第二重量部３０と１個の第三重量部４０がそれぞれ取り付けられる。１個の第二重量部３０はネジ円柱体３１とネジ孔１２’の結合により第一把持部１０’に着脱可能に取り付けられ、他の１個の第二重量部３０はネジ円柱体３１とネジ孔３２の結合により前記第二重量部３０のネジ孔３２と第三重量部４０のネジ円柱体４１にそれぞれ結合される。
【００３９】
図７は本考案の第四実施例に係るダンベル４００の構造を示す分解図である。第四実施例と第三実施例の相違点は、第四実施例のダンベル４００の第一把持部１０’の両端にはの第二重量部３０と第三重量部４０が１つずつ取り付けられ、第二重量部３０は第一把持部１０’と第三重量部４０に連結されることにある。
【００４０】
図８は本考案の第五実施例に係るダンベル５００の構造を示す分解図である。第五実施例と第三実施例の相違点は、第五実施例のダンベル５００の第一把持部１０’の両端には第三重量部４０が１つずつ取り付けられ、第三重量部４０はネジ円柱体４１とネジ孔１２’の結合により第一把持部１０’に結合されることにある。
【００４１】
他の実施例において、第一把持部１０’の両端には少なくとも２個の第二重量部３０がそれぞれ取り付けられ、第二重量部３０のネジ円柱体は第一把持部１０’のネジ孔に結合されることができる。複数個の第二重量部３０はネジ結合により連結されることができる。
【００４２】
図９は本考案の実施例に係るトレーニング用器具（fitness  equipment）６００の構造を示す斜視図である。この実施例と第一実施例の相違点は、この実施例の第二把持部１０’の長さのみが異なり、他の構造が一致することにある。第一実施例〜第五実施例のダンベルの第一把持部と比較してみると、トレーニング用器具６００の第二把持部１０’の長さは多く増加している。使用者が手で把持する把持部の長さは増加しているので、トレーニング用器具６００をバーベル（barbell）として使用することができる。前記ダンベル（１００、２００、３００、４００、５００）の第一把持部（１０、１０’）の長さが短く、使用者が手で把持する把持部の長さが短いので、それをダンベルだけとして使用することができない。
【００４３】
第二把持部１０’は一体に成型される構造でありかつ円柱形に形成される棒体である。他の実施例において、第二把持部１０’は着脱可能な構造で構成され、第二把持部１０’上にホック構造、挿入構造またはネジ結合構造が設けられることにより複数個の第二把持部１０’を一体に結合させることができる。トレーニング用器具６００を製造するか或いは販売するとき、複数個の第二把持部１０’を分解することにより包装と輸送を容易にすることができる。使用者がトレーニング用器具６００を使用するとき、複数個の複数個の第二把持部１０’を組み立てることにより長さが異なっているいろいろな第二把持部１０’を獲得することができる。
【００４４】
図１０は本考案の実施例に係る他のトレーニング用器具８００の構造を示す斜視図であり、図に示すとおり、そのトレーニング用器具８００は第二把持部８１とダンベル７００を含む。ダンベル７００とダンベル３００の相違点は、ダンベル７００の第一把持部１０の一端には第一重量部２０と第二重量部３０が取り付けられ、他端には第一重量部２０、第二重量部３０および第三重量部４０が取り付けられることにある。第二把持部８１の両端はその両端の外部ネジにより第一重量部２０の第一ネジ孔２１に結合されることにより、２個のダンベル７００を着脱可能に組み立てることができる。第二把持部８１の長さは第一把持部１０の長さより長いので、トレーニング用器具８００をバーベルとして使用することができる。
【００４５】
図１１に示すとおり、第二把持部８１’の両端にもネジ孔８１０’が形成されることができる。その場合、ダンベル７００’の第二重量部３０は第二把持部８１’のネジ孔８１０’に結合される。
【００４６】
以上、本考案の実施例を説明してきたが、前記実施例は本考案の例示にしか過ぎないものであるため、本考案は前記実施例の構成にのみ限定されるものでない。この技術分野の技術者は、本考案の要旨を逸脱しない範囲内において設計の変更、改良等をすることができ、それらがあっても本考案に含まれることは勿論である。
【図１】
0003234664.tif 000003
【図２】
0003234664.tif 000004
【図３】
0003234664.tif 000005
【図４】
0003234664.tif 000006
【図５】
0003234664.tif 000007
【図６】
0003234664.tif 000008
【図７】
0003234664.tif 000009
【図８】
0003234664.tif 000010
【図９】
0003234664.tif 000011
【図１０】
0003234664.tif 000012
【図１１】
0003234664.tif 000013